(57)【要約】  本発明は、水洗便器と、真空生成器と、収集タンクと、バルブおよび中間タンクを含むパイプとを備え、上記中間タンクが水洗便器と収集タンクの間に配置されると共に吸入バルブおよび排出バルブを備える真空作動式トイレに係わる。吸入バルブ（１１）と排出バルブ（１２）のハウジングはそれぞれ圧力ソースに接続される。【選択図】図１
2008504472.tif 000002
【特許請求の範囲】
【請求項１】
水洗便器と、真空生成器と、収集タンクと、バルブおよび中間タンクを含むパイプとを備え、前記中間タンクが前記水洗便器と前記収集タンクの間に配置されると共に吸入バルブおよび排出バルブを備える真空作動式トイレにおいて、
前記吸入バルブ（１１）および前記排出バルブ（１２）のハウジングは、圧力媒体のソースのひとつまたはそれぞれに接続され、排出物を前記収集タンク（２０）に運ぶための圧力が前記中間タンクで増大される時、前記ハウジングの内側の圧力が前記中間タンク（１０）における圧力よりも高い、
ことを特徴とする真空作動式トイレ。
【請求項２】
前記圧力媒体（Pg）のソースが、前記バルブ（１１、１２）の、前記中間タンク（１０）とは反対側に面する側面に接続される、
ことを特徴とする請求項１に記載の真空作動式トイレ。
【請求項３】
水洗便器と、真空生成器と、収集タンクと、バルブおよび中間タンクを含むパイプとを備え、前記中間タンクが前記水洗便器と前記収集タンクの間に配置されると共に吸入および排出バルブを備える真空トイレの作動方法において、
圧力が前記中間タンク（１０）で増大される時、前記吸入バルブのハウジング（１１）と前記排出バルブのハウジング（１２）が前記中間タンクの圧力よりも高い圧力に保たれる、
ことを特徴とする方法。
【発明の詳細な説明】
【技術分野】
【０００１】
本発明は、水洗便器と、真空生成器と、収集タンクと、バルブおよび中間タンクを含むパイプとを備え、上記中間タンクが水洗便器と収集タンクの間に配置されると共に吸入バルブおよび排出バルブを備える真空作動式トイレ、およびこのような真空トイレの作動方法に係わる。
【背景技術】
【０００２】
いわゆる真空トイレシステムおよびこのようなシステムの動作は、例えばDE ３７ ２８ １５７ A1に記載されている。その中に開示されたこのシステムは、例えば電車やバスのような移動ユニットで特に使用されるためのものである。以下の構成要素が、この文献に記載されたシステムに含まれる：即ち、水洗便器と、真空状態を生成するための装置と、収集タンクと、バルブおよび、水洗便器と収集タンクの間に配置された中間タンクを備えるパイプである。
【０００３】
上記の方法において使用される手順は以下のとおりである。即ち、加圧空気タンクに接続された排出器であることができる、真空状態を生成するための装置によって中間タンクに負圧が生成される。空気圧によって開くことができるバルブが中間タンクの前後にそれぞれ設けられる。水洗ボタンを作動すると、中間タンクに負圧が生成され、洗浄水が水洗便器に流れ込む。中間タンクの前面に配置されたバルブが開くと、こう配圧力によって、洗浄水と排泄物が、大気圧下にある水洗便器から中間タンクに吸い込まれる。その後バルブを閉めることにより、中間タンクは正圧下におかれ、中間タンクの背面に配置されたバルブを開けると、中間タンクの内容物が収集タンクに排出される。中間タンクで圧力が増大されると、排水が中間タンクの内側にもたまり、またバルブのハウジングの中に押しやられる。吸入バルブおよび排出バルブが密閉されずに漏れていたり破損していると、堆積が起こり、またある程度の時間が経つとバルブが故障する。さらに、バルブの一つが開けられている間、ハウジングの空間が短時間ではあるが同時に浸水可能となり、排水がハウジングに浸透するといった事態が起こる可能性がある。
【発明の開示】
【０００４】
本発明は、このように排水がバルブのハウジングに浸透しないようにすることを目的とし、これは上記した真空作動式トイレの種類において達成される。即ち、吸入バルブと排出バルブのハウジングが圧力媒体のソースの一つまたはそれぞれに接続され、排出物を収集タンクに運ぶために中間タンクで圧力が増大される時、ハウジングにおける圧力が中間タンクの圧力よりも高いといったトイレである。
【０００５】
圧力媒体のソースを、中間タンクとは反対側に面するバルブの側面に接続することもできる。
本発明は、水洗便器と、真空生成器と、収集タンクと、バルブおよび中間タンクを含むパイプとを備え、上記中間タンクが水洗便器と収集タンクの間に配置されると共に吸入および排出バルブを備える真空トイレの作動方法にも係わる。この方法において、圧力が中間タンクで増大される時、吸入および排出バルブのハウジングは中間タンクの圧力よりも高い圧力に保たれる。
【０００６】
バルブのハウジング内部に堆積が起こらないようにすることが、本発明の設計によって達成されることが明らかであり、この結果、バルブの寿命が延びることとなる。
【発明を実施するための最良の形態】
【０００７】
本発明の一例を、図面を参照しながら以下に述べる。
図面の唯一の図が、本発明による真空作動式トイレの一部を示す。
図において、１０は、便器１９と下水管または収集タンク２０とのそれぞれの間に、水洗方向に配置される中間タンクを示す。この中間タンク１０は両側のバルブ、即ち吸入バルブ１１と排出バルブ１２によって閉鎖される。これらのバルブはスライドバルブであるかまたはピンチバルブである。
【０００８】
双方のバルブ１１および１２のハウジングは、図示のように圧搾空気パイプに接続され、付加Pｇは、そこに圧力を加えられることを示すためのものである。この圧力は、排出物を運ぶための圧力が中間タンク１０で増大される時、中間タンク１０の圧力よりも高い。
【０００９】
従って、圧力Pが中間タンクで増大されると、圧搾空気Pgがバルブ１１、１２のハウジングに同時に加わり、これらを介して、“きれいな”圧搾空気がバルブから中間タンク１０に送り込まれるので、排出物が中間タンクで堆積することがなくなり、またバルブは“きれいな”ままとなる。これにより、バルブと全体のシステムの寿命を延ばすことができる。
【００１０】
本発明の好ましい実施例においては、必要とされる圧力Pgは圧力Pから得ることもでき、この事が中間タンク１０において有効となる。
【図面の簡単な説明】
【００１１】
【図１】本発明による真空作動式トイレの一部を示す図である。
【図１】
2008504472.tif 000003
【手続補正書】
【提出日】平成17年11月23日(2005.11.23)
【手続補正１】
【補正対象書類名】特許請求の範囲
【補正対象項目名】全文
【補正方法】変更
【補正の内容】
【特許請求の範囲】
【請求項１】
水洗便器と、真空生成器と、収集タンクと、バルブおよび中間タンク（１０）を含むパイプ（１９、 ２０）とを備え、前記中間タンクが前記水洗便器と前記収集タンクの間に配置されると共に吸入バルブおよび排出バルブ（１１、１２）を備える真空作動式トイレにおいて、
前記吸入バルブ（１１）および前記排出バルブ（１２）のハウジングは、圧力媒体のソースのひとつまたはそれぞれに接続され、前記真空作動式トイレは、排出物を前記収集タンク（２０）に運ぶための圧力が前記中間タンクの中で増大される時、前記中間タンク（１０）内の前記吸入バルブおよび前記排出バルブのハウジング内に、より高い圧力を生成するように実現される、
ことを特徴とする真空作動式トイレ。
【請求項２】
前記圧力媒体（Pg）のソースが、前記バルブ（１１、１２）の、前記中間タンク（１０）とは反対側に面する側面に接続される、
ことを特徴とする請求項１に記載の真空作動式トイレ。
【請求項３】
水洗便器と、真空生成器と、収集タンクと、バルブおよび中間タンクを含むパイプとを備え、前記中間タンクが前記水洗便器と前記収集タンクの間に配置されると共に吸入および排出バルブを備える真空トイレの作動方法において、
圧力が前記中間タンク（１０）内で増大される時、前記吸入バルブ（１１）と前記排出バルブ（１２）のハウジングが前記中間タンクの圧力よりも高い圧力に保たれる、
ことを特徴とする方法。
【国際調査報告】
2008504472.tif 000004
2008504472.tif 000005
2008504472.tif 000006
2008504472.tif 000007